(57)【特許請求の範囲】
【請求項１】
携帯用電話器の送話部と受話部をその各端部に設けた取付部をヒンジシャフトで連結することによって開閉可能にするための開閉装置であって、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記押釦を押すことにより前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする、携帯用電話器の開閉装置。
【請求項２】
携帯用電話器の送話部と受話部をその各端部に設けた取付部をヒンジシャフトで連結することによって開閉可能にするための開閉装置であって、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする、携帯用電話器の開閉装置。
【請求項３】
携帯用電話器の送話部と受話部をその各端部に設けた取付部をヒンジシャフトで連結することによって開閉可能にするための開閉装置であって、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止させるように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成すると共に、前記受話部を所定開成角度からフリーストップに停止させるフリクション手段を設けたことを特徴とする、携帯用電話器の開閉装置。
【請求項４】
前記係止手段を、前記受話部の前記取付部内に収装固定させた前記ロータの前記ステータと対向する側の端面に設けた前記トーションスプリングの一端部を係止する前記係止部と、この係止部に続いて前記受話部の前記送話部に対する開成方向に傾斜させて設けた前記傾斜部と、前記受話部の前記送話部に対する閉成動作に伴い、前記係止部による係止を外され、前記傾斜部によって圧縮された前記トーションスプリングの端部を係止するために前記ステータの側に設けた前記係止溝とで構成したことを特徴とする、請求項１乃至請求項３のいずれかに記載の携帯用電話器の開閉装置。
【請求項５】
前記カム手段を、前記押釦の端面に突設した押圧カム部と、受話部の取付部に収装させた前記ロータの端面に前記押圧カム部に対向する側に位置させて突設させた傾斜部を有する受圧カム部とで構成したことを特徴とする、請求項１乃至請求項３のいずれかに記載の携帯用電話器の開閉装置。
【請求項６】
前記ロック手段を、受話部の前記取付部内にヒンジシャフトを軸挿させつつコンプレッションスプリングにより一方向に摺動附勢されて摺動自在に収装されたロック部材と、このロック部材の出没を可能とするために前記送話部の前記もう一方の取付部の端面より軸方向に設けられたロック溝とで構成したことを特徴とする、請求項２乃至３のいずれかに記載の携帯用電話器の開閉装置。
【請求項７】
前記フリクション手段を、前記ロータの端面に設けた第１凸部と、この端面の第１凸部と前記受話部の所定の開成角度範囲において圧接するように前記ステータの端面に設けた第２凸部とで構成したことを特徴とする、請求項３に記載の携帯用電話器の開閉装置。
【請求項８】
送話部と、受話部と、ヒンジシャフトとを含む携帯用電話器において、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記押釦を押すことにより前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする、携帯用電話器。
【請求項９】
送話部と、受話部と、ヒンジシャフトとを含む携帯用電話器において、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする、携帯用電話器。
【請求項１０】
送話部と、受話部と、ヒンジシャフトとを含む携帯用電話器において、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止させるように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成すると共に、前記受話部を所定開成角度からフリーストップに停止させるフリクション手段を設けたことを特徴とする、携帯用電話器。
【請求項１１】
送話部と、受話部と、ヒンジシャフトとを含む携帯用電話器において、前記係止手段を、前記受話部の前記取付部内に収装固定させた前記ロータの前記ステータと対向する側の端面に設けた前記トーションスプリングの一端部を係止する前記係止部と、この係止部に続いて前記受話部の前記送話部に対する開成方向に傾斜させて設けた前記傾斜部と、前記受話部の前記送話部に対する閉成動作に伴い、前記係止部による係止を外され、前記傾斜部によって圧縮された前記トーションスプリングの端部を係止するために前記ステータの側に設けた前記係止溝とで構成したことを特徴とする、請求項８乃至１０のいずれかに記載の携帯用電話器。
【請求項１２】
送話部と、受話部と、ヒンジシャフトとを含む携帯用電話器において、前記カム手段を、前記押釦の端面に突設した押圧カム部と、受話部の取付部に収装させた前記ロータの端面に前記押圧カム部に対向する側に位置させ手と突設させタ傾斜部を有する受圧カム部とで構成したことを特徴とする、請求項８乃至１０のいずれかに記載の携帯用電話器。
【請求項１３】
送話部と、受話部と、ヒンジシャフトとを含む携帯用電話器において、前記ロック手段を、受話部の前記取付部内にヒンジシャフトを軸挿させつつコンプレッションスプリングにより一方向に摺動附勢されて摺動自在に収装されたロック部材と、このロック部材の出没を可能とするために前記送話部の前記もう一方の取付部の端面より軸方向に設けられたロック溝とで構成したことを特徴とする、請求項９乃至１０のいずれかに記載の携帯用電話器
【請求項１４】
送話部と、受話部と、ヒンジシャフトとを含む携帯用電話器において、前記フリクション手段を、前記ロータの端面に設けた第１凸部とこの端面の第１凸部と前記受話部の所定の開成角度範囲において圧接するように前記ステータの端面に設けた第２凸部とで構成したことを特徴とする、請求項１０に記載の携帯用電話器。
【請求項１５】
前記送話部は、複数の操作釦から成る操作部を含んでなることを特徴とする、請求項８乃至１０のいずれかに記載の携帯用電話器。
【請求項１６】
前記送話部は、マイク部を含んでなることを特徴とする、請求項８乃至１０のいずれかに記載の携帯用電話器。
【請求項１７】
前記受話部は、ディスプレー部を含んでなることを特徴とする、請求項８乃至１０のいずれかに記載の携帯用電話器。
【請求項１８】
前記受話部は、スピーカー部を含んでなることを特徴とする、請求項８乃至１０のいずれかに記載の携帯用電話器。
【発明の詳細な説明】
【０００１】
【産業上の利用分野】
この発明は送話部と受話部を二つ折りに折り畳んで携帯し、使用時にこれを開いて用いる携帯用電話器並びにその開閉装置に関する。
【０００２】
【従来の技術】
従来、二つ折りの携帯用電話器の送話部に対して開閉自在に受話部を取り付けるための開閉装置として、フリクション機能を有するフリーストップ型のものが公知である。
【０００３】
しかるに、携帯用電話器が普及するにつれて、便利性を求める声が高まり、受話部を送話部に対して片手のみでワンタッチで開くことができるように構成した携帯電話器並びにその開閉装置が求められるようになった。
【０００４】
【発明が解決しようとする課題】
この発明の目的は、携帯用電話器を片手で持って押釦を押すことにより、ワンタッチで受話部を開くことができる、携帯用電話器を提供せんとするにある。
この発明の次の目的は、携帯用電話器を片手で持って押釦を押すことにより、ワンタッチで受話部を開くことができ、さらに受話部が閉成状態においても安定的に閉成状態を保つことができるように工夫した、携帯用電話器の開閉装置を提供せんとするにある。
【０００５】
この発明のさらに次の目的は、受話部を送話部に対して片手を用いてワンタッチで開くことができた上で、開閉装置自身が受話部を閉成状態で安定的にロックできる構成と成した携帯用電話器の開閉装置を提供せんとするにある。
【０００６】
この発明のさらに次の目的は、送話部に対し受話部を片手を用いてワンタッチで開き、開閉装置自身が受話部を閉成状態で安定的にロックできる構成とした上で、受話部の所定開成角度からはフリーストップに停止させることができるように構成した携帯用電話器の開閉装置を提供せんとするにある。
【０００７】
【課題を解決するための手段】
上述した目的を達成するためにこの発明は、携帯用電話器の送話部と受話部をその各端部に設けた取付部をヒンジシャフトで連結することによって開閉可能にするための開閉装置であって、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記押釦を押すことにより前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする。
【０００８】
この発明はまた、携帯用電話器の送話部と受話部をその各端部に設けた取付部をヒンジシャフトで連結することによって開閉可能にするための開閉装置であって、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする。
【０００９】
この発明はさらに、携帯用電話器の送話部と受話部をその各端部に設けた取付部をヒンジシャフトで連結することによって開閉可能にするための開閉装置であって、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止させるように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成すると共に、前記受話部を所定開成角度からフリーストップに停止させるフリクション手段を設けたことを特徴とする。
【００１０】
この発明はさらに、送話部と、受話部と、ヒンジシャフトとを含む携帯用電話器において、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記押釦を押すことにより前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする。
【００１１】
この発明はさらに、送話部と、受話部と、ヒンジシャフトとを含む携帯用電話器において、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止するように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成したことを特徴とする。
【００１２】
そして、この発明は、送話部と、受話部と、ヒンジシャフトとを含む携帯用電話器において、前記送話部の互いに離間対向されて設けた一対の取付部の間に前記受話部の取付部を嵌入させ、前記送話部の一方の取付部に筒状のステータをその中心部軸方向へ前記シャフトを挿通させつつ設け、前記受話部の取付部に前記ステータに対向させてロータをその中心部軸方向へ前記シャフトを挿通させつつ設け、前記ヒンジシャフトに環巻させて前記ステータと前記ロータの間に圧縮状態でトーションスプリングを弾設すると共に、前記ステータと前記ロータとの間に前記トーションスプリングの一端部を前記受話部の所定の開成角度以上の範囲においてのみ前記ロータによって係止されるように構成した係止手段を設け、前記送話部のもう一方の取付部に設けた押釦を操作することにより前記ロータを前記所定の開成角度まで回転させるカム手段と、前記ヒンジシャフトをその軸芯部軸方向へ挿通させて前記受話部の取付部に設けた係合溝と前記送話部のもう一方の取付部に設けたロック溝との間を行き来するロックプレートからなるロック手段を設け、前記係止手段を、前記ステータの側に設けた前記トーションスプリングの一端部を係止する係止溝と、前記ロータの側に設けた係止部とこの係止部に続いて設けた傾斜部とで構成することにより、前記受話部の前記送話部に対する所定の閉成角度から前記傾斜部により前記トーションスプリングを圧縮させてその一端部を前記係止溝へ係止させるように成すと共に、前記受話部の前記送話部に対する閉成状態において前記ロック手段が前記受話部の取付部に設けた係合溝と前記送話部の取付部に設けたロック溝の間に位置することにより安定した閉成状態に保っているが、前記押釦を押すことにより前記ロックプレートと前記ロック溝の係状合態を解離しつつ前記カム手段を介して前記ロータを回転させることにより、前記係止溝に係止させた前記トーションスプリングの端部が前記ロータの係止部と係合させて、当該ロータを介して前記受話部が自動的に開かれるように構成すると共に、前記受話部を所定開成角度からフリーストップに停止させるフリクション手段を設けたことを特徴とする。
【００１３】
【作用】
請求項１と８においては、受話部が送話部に対し所定の開成角度に達すると、係止手段がトーションスプリングと係合し、その回転トルクにより自動的に開かれる。受話部を開成方向へ附勢するトーションスプリングは、受話部が所定閉成角度に達すると巻き込まれた状態のまま係止手段を介して受話部の取付部に対する係止を解き、しかる後の０°に至るまでの開成角度範囲においては、受話部を開成方向へ附勢しない。受話部を送話部に対して閉じた二つ折りの状態において、押釦を押圧すると、カム手段により受話部が開成方向へ回動して開かれ、所定の開成角度まで開かれると、係止手段を介してトーションスプリングの端部が受話部の取付部と係合し、該受話部を開成方向へ附勢させてこれを自動的に開かしめる。
【００１４】
請求項２と９においては、請求項１と８と同じ作用を奏することができる上に、さらに受話部を送話部に対して閉じた二つ折りの状態において該受話部を係止ロックし、この係止ロック状態は押釦を押圧することによって解かれ、受話部の開成方向への回転を許容する。
【００１５】
請求項３と１０においては、請求項１乃至２及び請求項８乃至９と同じ作用を奏することができる上に、さらに、自動的に開かれた受話部を所定の開成角度範囲においてフリーストップに停止させることができる。
【００１６】
【実施例】
図面はこの発明の一実施例を示し、図１において複数の操作釦から成る操作部１ａとマイク部１ｂを搭載させた送話部１の一側端部には、所定間隔を空けて左側よりそれぞれ筒状部を有する第１取付部２、第２取付部３、及び第３取付部４が取り付けられており、第２取付部３を一番長尺に構成してある。尚、この各取付部２〜４は送話部１と一体に形成されても良い。同じく図１において、５はディスプレー部５ａとスピーカー部５ｂを設置した受話部であり、その端部に設けた同じく筒状部を有する第４取付部６と第５取付部７を送話部１側の各取付部２〜４の間へ挿入させ、第４取付部６側は、図２以下に示したように、ヒンジシャフト８を介して第１取付部２と第２取付部３に回動自在に連結されている。第５取付部７は充分に図示はしてないが、ヒンジシャフト８と軸芯を共通にする図３乃至図５に示したヒンジピン９を介して、第２取付部３と第３取付部４の間に回動自在に連結されている。
【００１７】
この発明に係る開閉装置は、ヒンジシャフト８側に設けられており、以下に詳述する。
【００１８】
第２取付部３内部には、一方の端面に一対の第１凸部１０ａと１個の係止溝１０ｂをそれぞれ軸方向に設けた筒状のステータ１０が、軸芯部軸方向にヒンジシャフト８を挿通させつつ、外周に設けた係止突条１０ｃを第２取付部３の内周に設けた係合溝３ａへ嵌入させることによって回転しないように収納されている。尚、このステータ１０は第２取付部３と一体に構成されても良い。ヒンジシャフト８はその一端部をワッシャー１１と取付ビス１２によって第２取付部３内に設けた取付壁３ｂに固着させている。第２取付部３の一方の端面と接する受話部５側の第４取付部６内には、軸芯部にヒンジシャフト８を挿通させつつその鍔部８ａに係止されてロータ１３がその外周より突設した係止突条１３ａ，１３ａを該第４取付部６の外周に設けた第１係合溝６ａ，６ａへ係合させることにより、該第４取付部６へ収納固定されている。ヒンジシャフト８にはステータ１０内に収納されつつトーションスプリング１４が環巻きされており、その一端部１４ａをステータ１０に設けた係止孔１０ｄに係止させ、他端部１４ｂをロータ１３の端面に円弧状に隆設した係止部１３ｂに係止させている。この係止部１３ｂの先端にはトーションスプリング１４を巻き戻す方向に傾斜する傾斜部１３ｃが設けられている。
【００１９】
トーションスプリング１４の係止手段１５はとくに図４と図５に示したように、ロータ１３に設けて成る傾斜部１３ｃを有する係止部１３ｂと、ステータ１０側に設けた係止溝１０ｂとで構成されている。
【００２０】
ロータ１３にはさらに係止手段１５側の端面に一対の第２凸部１３ｄ，１３ｄが設けられ、ステータ１０の端面に設けた第１凸部１０ａ，１０ａと対向しており、この第１凸部１０ａ，１０ａと第２凸部１３ｄ，１３ｄでフリクション手段２３を構成している。
【００２１】
次に、ロック手段２２について説明すると、第４取付部６のロータ１３を嵌着させた側とは反対側に位置して、ロータ１３よりも大径のロック部材１７がその外周に設けた一対の係止突条１７ａ，１７ａを受話部５側の第４取付部６の第２係合溝６ｂ，６ｂへ係合させつつ軸方向へ摺動自在に収装されており、このロック部材１７は軸芯部にヒンジシャフト８を挿通させている。そして、このロック部材１７の受圧板１７ｂとヒンジシャフト８の鍔部８ａとの間にはコンプレッションスプリング１８が弾設され、ロック部材１７を常に一方向へ摺動附勢させている。第１取付部２にはこのロック部材１７の係止突条１７ａ，１７ａと所定の位置（受話部５の閉成位置）で合致するロック溝２ａ，２ａが設けられている。
【００２２】
第１取付部２内部には、さらに互いに重なり合う第１押釦１９と第２押釦２０から成る押釦２１が軸方向へ摺動可能に収装されており、第１押釦１９はロータ１３と略同一の外径を有し、その外周に設けた係止突条１９ａ，１９ａを係合溝２ｂ，２ｂと係合させており、軸芯部にヒンジシャフト８を軸挿させている。この第１押釦１９の一側端側は、ヒンジシャフト８に嵌めたＥリング２４によって、該ヒンジシャフト８より抜け出ないように構成されると共に、他端側より押圧カム部１９ｂを軸方向へ突出させている。この押圧カム部１９ｂはロック部材１７に設けた円弧状の切欠１７ｃを貫通して受圧カム部１６の傾斜部１６ａと対向しており、この押圧カム部１９ｂと受圧カム部１６でカム手段２５を構成している。
【００２３】
第２押釦２０はその外周に設けた係止突片２０ａ，２０ａを第１取付部２に設けた一端部閉塞の係止溝２ｃ，２ｃへ係止させることにより、軸方向へ摺動可能であるが外側へは抜け出ないように構成されている。尚、この第１押釦１９と第２押釦２０は両者を合体させて一体に構成しても良い。
【００２４】
したがって、受話部５を閉じた状態においては、図３と図４に示したように、トーションスプリング１４の他端部１４ｂは、ロータ１３の係止部１３ｂによって係止されていず、該係止部１３ｂの端縁に押されて若干圧縮された状態でステータ１０の係止溝１０ｂ内へ落ち込んでいる。また、ロータ１３の第２凸部１３ｄはステータ１０の端面に設けた凹部１０ｅ，１０ｅ内へ落ち込んでいる。さらに、コンプレッションスプリング１８によって、図中左側へ押圧されているロック部材１７は、その外周に設けた係止突条１７ａ，１７ａを、受話部５側の第４取付部６に設けた第２係合溝６ｂ，６ｂと送話部１側の第１取付部２のロック溝２ａ，２ａの相方と係合させた状態にある。また、第１押釦１９もロック部材１７によって図中左側へ押圧され、該第１押釦１９を第１取付部２の一側端部より外部へ突出させている。さらに、第１押釦１９の押圧カム部１９ｂはロック部材１７の円弧状の切欠１７ｃ内を貫通して受圧カム部１６の傾斜部１６ａと若干の間隙を空けて離間対向している。
【００２５】
この状態から第１押釦１９を右方向へ押すと、その押圧力は第２押釦２０を介してロック部材１７へ伝達され、このロック部材１７をまずコンプレッションスプリング１８の押圧力に抗して図中右方向へ摺動させるので、ロック部材１７の係止突条１７ａ，１７ａと送話部１側の第１取付部２のロック溝２ａ，２ａとの間の係合が解除された後、押圧カム部１９ｂが受圧カム部１６の傾斜部１６ａと接触してこれを押圧するので、ロータ１３が図６に示したように反時計方向へ回転し受話部５を若干開くことになる。すると、図５に示したようにロータ１３の係止部１３ｂがステータ１０の係止溝１０ｂの位置に来て、巻き込まれた状態で圧縮状態にあるトーションスプリング１４の端部が図中左方向へ移動して係止部１３ｂへ係止されることになるので、ロータ１３は図６に示したように反時計方向へ回動する附勢力を受けて上述したようにして若干開いている受話部５をトーションスプリング１４の弾力によってさらに自動的に開成させることになる。この際、トーションスプリング１４は、圧縮状態でその他端部１４ｂを係止部１３ｂへ係止下れているので、傾斜部１３ｃの存在に拘らず係止部１３ｂから外れてしまうことがない。受話部５が送話部１に対しある開成角度まで開かれると、トーションスプリング１４のトルクは弱まり、図７に示したようにロータ１３の第２凸部１３ｄがステータ１０の第１凸部１０ａ，１０ａと圧接することになるので、このフリクション作用により受話部５は所定の開成角度範囲においてフリーストップに停止させることが可能となる。
【００２６】
開いた受話部５を閉じて行くと、所定の閉成角度まではトーションスプリング１４が巻き込まれているが、所定の閉成角度に達すると、巻き込まれるトーションスプリング１４の抵抗が増大し、ついにその他端部１４ｂが係止部１３ｂの傾斜部１３ｃを滑って外れ、その縁部で軸方向へ押され（圧縮され）てステータ１０の係止溝１０ｂに巻き込まれた状態で係止されるので、しかる後の閉成角度においてはロータ１３しかして受話部５にトーションスプリング１４のトルクが作用することがない。
【００２７】
受話部５が０°まで閉じられると図３に示した状態となり、コンプレッションスプリング１８により、図中左方向へ摺動を附勢されているロック部材１７の係止突条１７ａ，１７ａが送話部１側の第１取付部２に設けたロック溝２ａ，２ａと係合し、二つ折りにした状態で受話部５を送話部１に対してロックする。
【００２８】
【発明の効果】
この発明は以上のように構成したので、次のような効果を奏し得る。
【００２９】
請求項１と８のように構成すると、受話部が送話部に対し所定の開成角度に達すると、係止手段がトーションスプリングと係合し、その回転トルクにより受話部を送話部に対し自動的に開くことができるものである。
請求項２と９のように構成すると、押釦を押圧操作するのみで受話部を送話部に対して自動的に開くことができるので、片手で受話部の送話部に対する開閉操作を行うことができて便利である上に、受話部に作用させたトーションスプリングのトルクは、該受話部の所定の閉成角度以下においては作用しない上に、ロック手段により、受話部の閉成状態が安定し、所謂浮き現象が生じたり、携帯中に受話部が開いてしまうことがない。
【００３０】
請求項３と１０のように構成すると、上述したような請求項１と２及び８と９の効果を奏することができる上に、受話部の送話部に対する所定の開成角度からは両者を自由な開成角度に保つことができ、顔の大きさの異なるさまざまな使用者にとって使い易さが増大するものである。
【００３１】
請求項４と１１のように構成すると、簡単な構成でトーションスプリングの受話部側の端部の係止を、該トーションスプリングを巻き込んだ状態で解き、再び係止することができる利点を有する。
【００３２】
請求項５と１２のように構成すると、カム手段の構成が簡単となり、押釦に対する押圧操作で確実にロータを回転させることができる。
【００３３】
請求項６と１３のように構成すると、コンパクトにまとまった簡単な構成で受話部を確実にロックし、かつこのロックを解除することができる。
【００３４】
請求項７と１４のように構成すると、簡単な構成で確実で無理のないフリクション機能を創出できる。
【図面の簡単な説明】
【図１】  この発明を実施した携帯用電話器の斜視図である。
【図２】  この発明に係る携帯用電話器の開閉装置の分解斜視図である。
【図３】  この発明に係る携帯用電話器の開閉装置の部分の受話部を閉じた状態における平面断面図である。
【図４】  受話部を閉じた状態における各部材の位置関係を説明するための説明図である。
【図５】  ロック手段による受話部のロック状態を解除する時の各部材の位置を説明するための説明図である。
【図６】  受話部を閉じた状態におけるロータとステータの位置関係を説明する斜視図である。
【図７】  受話部を開いてフリクション機能が働き始める際のロータとステータの位置関係を説明するための斜視図である。
【図８】  この発明に係る携帯用電話器の開閉装置を図２とは逆方向より見た分解斜視図である。
【符号の説明】
１  送話部
２  第１取付部
２ａ  ロック溝
３  第２取付部
４  第３取付部
５  受話部
６  第４取付部
７  第５取付部
８  ヒンジシャフト
９  ヒンジピン
１０  ステータ
１０ａ  第１凸部
１０ｂ  係止溝
１３  ロータ
１４  トーションンスプリング
１６  受圧カム部
１６ａ  傾斜部
１７  ロック部材
１７ａ  係止突条
１８  コンプレッションスプリング
２１  押釦
２２  ロック手段
２３  フリクション手段
２５  カム手段
【図１】
0003984305.tif 000002
【図２】
0003984305.tif 000003
【図３】
0003984305.tif 000004
【図４】
0003984305.tif 000005
【図５】
0003984305.tif 000006
【図６】
0003984305.tif 000007
【図７】
0003984305.tif 000008
【図８】
0003984305.tif 000009